(57)【要約】【課題】コレステリック液晶を用いた反射型液晶表示装置において、コントラスト比の高い表示を、反射率を下げることなく達成する。【解決手段】コレステリック液晶を２枚の透明電極基板間に挟持した反射型液晶表示装置であって、プレーナ状態の選択波長反射により明状態の表示を行ない、フォーカルコニック状態の光の透過および液晶パネル背面に備えた光吸収層での光吸収により暗状態の表示を行なう反射型液晶表示装置において、パネル表面に、パネル内に入射する光を一方向の円偏光にする機能を有する部材を備える。【選択図】        図１
2004333999.tif 000002
【特許請求の範囲】
【請求項１】
コレステリック液晶を２枚の透明電極を備える基板間に挟持した液晶表示パネルと、該液晶表示パネルの背面側に配置された光吸収層とを備え、前記コレステリック液晶のプレーナ状態の選択波長反射により明状態の表示を行ない、前記コレステリック液晶のフォーカルコニック状態の光の透過および前記光吸収層での光吸収により暗状態の表示を行なう反射型液晶表示装置において、前記液晶表示パネル内に入射する光を一方向の円偏光にする機能を有する部材が、前記液晶表示パネルの前面に備えられることを特徴とする反射型液晶表示装置。
【請求項２】
前記液晶表示パネル内に入射する光を一方向の円偏光にする部材が、観察者側に配置された偏光板と、該偏光板と液晶表示パネルの間に配置された、１／４λにほぼ相当するリタデーション値の位相差フィルムとを備えたものであることを特徴とする請求項１記載の反射型液晶表示装置。
【請求項３】
前記液晶表示パネル内のコレステリック液晶のらせん方向と、前記液晶表示パネル内に入射させる円偏光の向きを一致させたことを特徴とする請求項１または２記載の反射型液晶表示装置。
【請求項４】
コレステリック液晶を２枚の透明電極を備える基板間に挟持した複数の液晶表示パネルと光吸収層とを備えて、当該複数の液晶表示パネルがたがいに積層して配置され、当該光吸収層が当該複数のいずれの液晶表示パネルよりも背面に配置されて、前記コレステリック液晶のプレーナ状態の選択波長反射により明状態の表示を行ない、前記コレステリック液晶のフォーカルコニック状態の光の透過および前記光吸収層での光吸収により暗状態の表示を行なう反射型液晶表示装置であって、当該複数の液晶表示パネルに入射する入射光を一方向の円偏光にする機能を有する部材が、当該複数のいずれの液晶表示パネルよりも最前面に備えられることを特徴とする反射型液晶表示装置。
【請求項５】
コレステリック液晶を２枚の透明電極を備える基板間に挟持した複数の液晶表示パネルと光吸収層とを備えて、当該複数の液晶表示パネルがたがいに積層して配置され、当該光吸収層が当該複数のいずれの液晶表示パネルよりも背面に配置されて、前記コレステリック液晶のプレーナ状態の選択波長反射により明状態の表示を行ない、前記コレステリック液晶のフォーカルコニック状態の光の透過および前記光吸収層での光吸収により暗状態の表示を行なう反射型液晶表示装置であって、当該複数の液晶表示パネルに入射する入射光を一方向の円偏光にする機能を有する部材が、当該複数の液晶表示パネルのあいだに備えられることを特徴とする反射型液晶表示装置。
【請求項６】
前記複数の液晶表示パネルに注入された各々のコレステリック液晶が、各々異なったらせんピッチを有することを特徴とする請求項４または５記載の反射型液晶表示装置。
【請求項７】
前記液晶表示パネル内に入射する入射光を一方向の円偏光にする機能を有する部材が、観察者側に配置された偏光板と、該偏光板と液晶表示パネルの間に配置された、１／４λにほぼ相当するリタデーション値の位相差フィルムとを備えたものであることを特徴とする請求項４、５または６記載の反射型液晶表示装置。
【請求項８】
前記液晶表示パネル内のコレステリック液晶のらせん方向と、前記液晶表示パネル内に入射させる円偏光の向きを一致させたことを特徴とする請求項４または５記載の反射型液晶表示装置。
【発明の詳細な説明】
【０００１】
【発明の属する技術分野】
本発明は、反射型液晶表示装置、とくにコレステリック液晶のプレーナ状態の選択波長反射により明状態の表示を行ない、コレステリック液晶のフォーカルコニック状態の光の透過およびその背面側の光吸収層での光吸収により暗状態の表示を行なう反射型液晶表示装置に関する。
【０００２】
【従来の技術】
コレステリック液晶は自発的にねじれた配向状態を示し、そのねじれ配向の１周期（らせんピッチ：Ｐ）に応じた光を散乱反射することが知られている。この現象は選択波長反射と呼ばれ、λ＝ｎＰ（λ：反射する光の波長、ｎ：液晶の屈折率）で現わされる波長の光を反射する。ただし、反射されるのは入射した光の２種類（右廻り、左廻り）の偏光成分のうち、液晶のねじれ方向と一致した成分のみであり、他方の偏光の光は、なにも影響を受けることなく透過する。従って特定波長に限定したときの反射率は、理想的には５０％である。
【０００３】
コレステリック液晶を用いた表示装置には、これまで種々の提案がなされているが、本発明が対象とする、コレステリック液晶のプレーナ状態とフォーカルコニック状態における反射特性の差を利用した反射型の表示装置は、構成が非常に簡単という利点を有している。この構成および動作原理を図５を用いて説明する。
【０００４】
コレステリック液晶を用いた表示装置は、２枚の透明電極２ａ、２ｂを設けたガラス基板１ａ、１ｂ間にコレステリック液晶３を狭持した非常に簡単なパネル構成であり、透明電極上に配向膜を用いるか否か、配向膜を用いたときラビング処理等の配向処理を行なうか否か等は駆動条件、液晶特性に依存する部分が大きく、一義的に決めることはできない。ただし以下に示す２種の安定な配向状態を取るためには、一般に透明電極面に対し、液晶分子を平行に配向させる何らかの処理を用いる。
【０００５】
十分に高い電圧を液晶層に印加すると、液晶はホメオトロピック配向となり、電圧印加を止めるとプレーナ配向状態（図５（ａ））となる。このプレーナ配向状態では上記に示した選択波長反射６を示し、コレステリック液晶のらせんピッチに応じた色の点灯状態（明状態の表示）として観察される。このとき反射光は、コレステリック液晶のらせんと同じ方向の円偏光された成分のみである。この後に適当な電圧のパルス状電界を印加すると、電圧印加停止後フォーカルコニック配向状態（図５（ｂ））となる。このフォーカルコニック配向状態では選択波長反射は起こらず、入射した光はそのまま透過される。液晶パネルの背面に光吸収層４をもうけておけば、この透過した光は吸収され、黒表示（暗状態の表示）として観察される。
【０００６】
この黒表示を得るための電圧を調整することで、プレーナ状態とフォーカルコニック状態の共存比を変化させることができ、中間調表示も可能である。さらにカラー化に関しては、選択波長がＲ、Ｇ、Ｂの各々に対応したらせんピッチを有するコレステリック液晶材料を用いた３枚のパネルを作成し、それらを重ね合わせることで可能である（たとえば、非特許文献１参照）。
【０００７】
このコレステリック液晶の選択波長反射を用いた表示装置は以上のような原理により表示を行なうことができ、原理的には５０％の高反射率を得ることができる。通常の偏光板とカラーフィルタを用いたカラー反射表示では、液晶自体の反射率は４０％と大きくは変わらないが、Ｒ、Ｇ、Ｂ部分を面内で振り分けているため反射率はさらに１／３以下となり、実質的な反射率は１０％にも満たないのが一般的である。したがって、前記コレステリック液晶の選択波長反射を用いた表示装置では、偏光板およびカラーフィルタを用いる表示装置に比べて数倍の、非常に高い反射率を得ることができ非常に良好な反射表示を得ることができる。
【０００８】
【非特許文献１】
内田龍男監修，「反射型カラーＬＣＤ総合技術」，シーエムシー，１９９９年，ｐ．１３８−１４３
【０００９】
【発明が解決しようとする課題】
しかしこのコレステリック液晶を用い、２つの状態の反射特性の差を利用した表示装置ではコントラスト比が低いという問題がある。これはフォーカルコニック配向状態では、液晶が微小領域毎に別個に配向した状態であるため、入射光は何の影響も受けず透過するのではなく、わずかに入射光を散乱することに起因する。つまり、この複数の微小領域の存在による後方散乱成分７が液晶パネルから観察者側へ戻ってくるため、光吸収層の黒状態よりもやや白っぽく観察される。
【００１０】
実際に試作されたコレステリック液晶パネルでは、プレーナ状態の反射率とフォーカルコニック状態の反射率の比であるコントラスト比が、１０程度またはそれ以下であり、メリハリのある表示を得ることができない。
【００１１】
本発明では、このフォーカルコニック状態（黒表示の状態）での後方散乱成分を少なくし、プレーナ状態（白表示の状態または明状態の表示）での反射率を下げることなくコントラスト比の高い表示を達成することを目的とする。
【００１２】
【課題を解決するための手段】
本発明は、前記目的を達成するためのものであって、
コレステリック液晶を２枚の透明電極を備える基板間に挟持した液晶表示パネルと、該液晶表示パネルの背面側に配置された光吸収層とを備え、前記コレステリック液晶のプレーナ状態の選択波長反射により明状態の表示を行ない、前記コレステリック液晶のフォーカルコニック状態の光の透過および前記光吸収層での光吸収により暗状態の表示を行なう反射型液晶表示装置において、前記液晶表示パネル内に入射する光を一方向の円偏光にする機能を有する部材が、前記液晶表示パネルの前面に備えられることを特徴としている。
【００１３】
また、本発明の別の液晶表示装置は、
コレステリック液晶を２枚の透明電極を備える基板間に挟持した複数の液晶表示パネルと光吸収層を備えて、当該複数の液晶表示パネルがたがいに積層して配置され、当該光吸収層が当該複数のいずれの液晶表示パネルよりも背面に配置されて、前記コレステリック液晶のプレーナ状態の選択波長反射により明状態の表示を行ない、前記コレステリック液晶のフォーカルコニック状態の光の透過および前記光吸収層での光吸収により暗状態の表示を行なう反射型液晶表示装置であって、当該複数の液晶表示パネルに入射する入射光を一方向の円偏光にする機能を有する部材が、当該複数のいずれの液晶表示パネルよりも最前面に備えられることを特徴としている。
【００１４】
また、本発明のさらに別の反射型液晶表示装置は、
コレステリック液晶を２枚の透明電極を備える基板間に挟持した複数の液晶表示パネルと光吸収層を備えて、当該複数の液晶表示パネルがたがいに積層して配置され、当該光吸収層が当該複数のいずれの液晶表示パネルよりも背面に配置されて、前記コレステリック液晶のプレーナ状態の選択波長反射により明状態の表示を行ない、前記コレステリック液晶のフォーカルコニック状態の光の透過および前記光吸収層での光吸収により暗状態の表示を行なう反射型液晶表示装置であって、当該複数の液晶表示パネルに入射する入射光を一方向の円偏光にする機能を有する部材が、当該複数の液晶表示パネルのあいだに備えられることを特徴としている。
【００１５】
【発明の実施の形態】
本発明のコレステリック液晶を用いた反射型液晶表示装置においては、図１に示すように、コレステリック液晶表示パネルの前面（観察者側）に、透過光を一方向の円偏光とする機能を有する部材１２（以下、「円偏光板」という）を備える。円偏光板１２の具体的な例としては、１／４λのリタデーション値を有する位相差フィルム（以下、「１／４λフィルム」という）１１を貼り、その上にさらに偏光板１０を貼り付ける。
【００１６】
図２に偏光板１０の透過軸と１／４λフィルム１１の延伸軸の角度の関係を示す。基準となる方向を図２のｘ軸（パネルの長辺に平行な方向）とし、偏光板の透過軸が基準軸となす角度をαとし、１／４λフィルムの延伸軸が基準軸となす角度をβとする。図２においてはα＞βであるが、αとβの大小関係は、実施例において説明するように、偏光板を透過した直線偏光が１／４λフィルムにより、液晶のらせん構造の方向と同じ方向の円偏光になるように設定される。
【００１７】
図１において、コレステリック液晶パネル内の液晶をプレーナ状態としておけば基本的に入射光のすべてを反射する（図１（ａ））。
【００１８】
一般に鏡面で反射した円偏光は、再び１／４λフィルムを透過すると入射時とは９０°回転した直線偏光となるので、偏光板を透過することができないが、コレステリック液晶の選択波長反射により反射された円偏光は鏡面で反射した場合と異なり入射時と同じ方向の円偏光であり、さらに１／４λフィルム１１によって入射時と同じ方向の直線偏光となるため、偏光板１０を透過することができる。
【００１９】
偏光板１０を用いることにより光の５０％はそこで吸収され光の利用効率は低下する。しかし従来技術において説明したように、白表示時に反射される光は一方向の偏光成分のみであり、他方の成分はそのまま透過し、背面の光吸収層４に吸収されている。したがって本プレーナ状態における白表示モードでは偏光板を用いても用いなくても、一方向の円偏光成分しか表示に用いられない点では同じであり、円偏光板を用いた今回の発明でも光の利用効率は低下しない。
【００２０】
次にフォーカルコニック状態（入射光が透過し、光吸収層で吸収される黒表示状態）での反射率について説明する。
【００２１】
フォーカルコニック状態での後方散乱成分が黒輝度の上昇を引き起こし、それによりコントラスト比が低下することはすでに述べた。この後方散乱成分の大きさは偏光方向に関係しない。つまりフォーカルコニック状態では液晶は小さな領域毎に別個に配向した状態であり、その微小領域の存在により後方散乱を起こしているため、２種（右廻り、左廻り）のいずれの偏光状態の光とも反射する。
【００２２】
偏光板１０と１／４λフィルム１１を用いた本発明の反射型液晶表示装置の場合、入射段階ですでに一方向の偏光状態としているため、当然フォーカルコニック状態においても一方向の偏光しか後方散乱に起因する反射を起こさない。従って黒表示のときの輝度を従来の表示装置に比べて１／２に低減することができる（図１（ｂ））。
【００２３】
以上の要点をまとめると、従来の表示装置では、白表示＝一方向の偏光をすべて反射、黒表示＝両方向の偏光の後方散乱成分を反射するものであり、一方本発明の表示装置では、白表示＝一方向の偏光のすべてを反射、黒表示＝一方向の偏光の後方散乱成分を反射するものである。言い換えれば、入射光のうち、最終的に反射光として利用できない偏光成分を円偏光板１２によりはじめから除去しておくことによって、白表示での反射率を低下させることなく後方散乱を１／２に低減することができる。
【００２４】
したがって、本発明のように、プレーナ状態とフォーカルコニック状態の反射特性の差を利用するコレステリック液晶表示パネルの表面に円偏光板１２（構成の一例としては、偏光板１０と１／４λフィルム１１を適当な角度で貼り合わせる）を備える事により、当該円偏光板１２が、白表示の時は反射光を実質的にそのまま透過させ、黒表示のときは後方散乱光のうち一方向の偏光光だけを透過させるので、白表示時の反射率を低下させること無くコントラスト比をほぼ２倍にすることができる。
【００２５】
なおコレステリック液晶はそのらせんピッチにより選択反射する波長が異なるので、本発明の機能を十分に発揮するためには、選択反射する波長の光を一方向の円偏光に変換する円偏光板を用いることが好ましい。具体的には、偏光板１０の吸収軸、その下の位相差フィルム１１の延伸軸のあいだの角度（α−β）の調整、および位相差フィルム１１のリタデーション値の調整により、目的とする波長の光を円偏光に変換するように調整することが必要である。しかし可視光領域のほぼ中央であるおよそ５５０ｎｍ付近の波長の光を円偏光に変換するように調整することで、ほぼ可視光全体の範囲で十分コントラスト比を高める効果を発揮することができる。
【００２６】
以下に実施例および比較例を用いて、本発明の実施の形態をさらにくわしく説明する。
【００２７】
比較例１
つぎの特性を有する液晶材料を準備した。
誘電率異方性：約７、平均屈折率：約１．５２、らせんピッチ：約０．３６μｍ（左旋）
【００２８】
このとき選択波長反射はλ＝１．５２×０．３６μｍ＝約５５０ｎｍ近傍でおこる。
【００２９】
このコレステリック液晶材料を２枚の透明電極基板に狭持し、液晶パネルを作成した。セルギャップは約５μｍとした。
【００３０】
パネルの背面に黒色の紙を光吸収層として貼り付け、パネル前面の垂直方向から３０度の方向よりキセノン光源のほぼ平行光を入射し、垂直方向への反射輝度を測定した。反射率は、硫酸バリウムの標準白色板の反射輝度を同一方法で測定し、その比より求めた。
【００３１】
２枚の透明電極間に、振幅±５０Ｖ、パルス幅５０ｍｓの双極（交流）パルス（リセットパルス）を印加すると、印加している間だけホメオトロピック配向となりその後安定なプレーナ状態となった。この状態での波長５５０ｎｍの光の反射率は約４０％であった。リセットパルスを印加した後、振幅±２８Ｖ、パルス幅１０ｍｓの双極（交流）パルス（黒書き込みパルス）を印加すると安定なフォーカルコニック状態となった。この状態での波長５５０ｎｍの光の反射率は５．５％で、コントラスト比は約７であった。
【００３２】
実施例１
比較例１と同一のコレステリック液晶パネルを作成した。
【００３３】
このパネルの表面にポリカーボネートの延伸フィルムよりなる位相差フィルムを貼り付けた。位相差フィルムのリタデーションは、波長５５０ｎｍの光に対して１４０ｎｍで、その延伸軸をパネルの端辺に平行に貼り付けた。（この貼り付け角度は、この上に貼り付ける偏光板との相対的角度（α−β）が重要であり、パネルに対する延伸軸の方向はまったく任意である。）。
【００３４】
つぎに、この位相差フィルム上に偏光板を貼り付けた。偏光板の貼り付け角度は、その透過軸が位相差フィルムの延伸軸に対して、時計回りに４５度回転した方向（β−α＝４５゜）とした。
【００３５】
このとき偏光板を透過し、さらに位相差フィルムを透過した光は、左回りの円偏光となる。
【００３６】
比較例１と同様のリセットパルスを印加するとパネル内の液晶配向はプレーナ状態となり、そのときの波長５５０ｎｍの光の反射率は約３４％であった。
次に比較例１と同様の黒書き込みパルスを印加すると安定なフォーカルコニック状態となり、その反射率は約２．５％で、コントラスト比は約１３であった。
【００３７】
本手法によるとプレーナ状態での反射率はやや低下するが（本実施例の場合、約２０％の低下率）、コレステリック液晶を用いた反射型液晶表示装置で問題となるコントラスト比を約２倍に高めることができ、コントラストの高い良好な表示を得ることができた。
【００３８】
実施例２
実施例１と同じ液晶材料を用い、らせんピッチを右旋０．３μｍに調整し、実施例１と同様の液晶パネルに注入し、コレステリック液晶パネルを得た。
このパネルの背面に光吸収層を貼り付け、実施例１と同様の手法で反射輝度評価を行なった。
【００３９】
このパネルの前面に、波長５５０ｎｍの光に対するリタデーションが１４０ｎｍである位相差フィルムおよび偏光板を貼り付けた。偏光板の透過軸は、位相差フィルムの延伸軸に対して、反時計回りに４５度回転した方向とした（α−β＝４５゜）。この偏光板と位相差フィルムを透過した光は右回りの円偏光となる。
【００４０】
２枚の透明電極間に、振幅±５０Ｖ、パルス幅５０ｍｓのリセットパルスを印加すると液晶層は安定なプレーナ状態となり、約４５０ｎｍの波長の光を反射した。反射率は波長４５０ｎｍの光に対し約３５％であり、振幅±３０Ｖ、パルス幅１０ｍｓの黒書き込みパルスを印加すると安定なフォーカルコニック状態となり、反射率は約３％でコントラスト比約１２を得ることができた。
【００４１】
比較例２
実施例２と同様のコレステリック液晶パネルを用い、その前面に位相差フィルム、偏光板を用いないで駆動を行なった場合、波長４５０ｎｍの光に対する反射率は、プレーナ状態で約４０％、フォーカルコニック状態で約６％であり、コントラスト比は約７と十分なコントラスト比が得られなかった。
【００４２】
実施例３
実施例１と同じ液晶材料を用い、らせんピッチを０．３０μｍ、０．３６μｍ、０．４３μｍ（すべて左旋）となるように調整した。これらの３種のコレステリック液晶組成物は、各々約４５０ｎｍ、約５５０ｎｍ、約６５０ｎｍを中心とする波長の光に対し選択波長反射を示す。
【００４３】
この３種のコレステリック液晶組成物を、実施例１と同様の３個の透明電極セルにそれぞれ注入した。以下、０．３μｍピッチの液晶を用いたパネルを「パネル１」、０．３６μｍピッチの液晶を用いたパネルを「パネル２」、０．４３μｍピッチの液晶を用いたパネルを「パネル３」という。この３種のパネル１〜３を図３に示すように積層し、各々独立に駆動することで、カラー表示を行なうことができる。なお積層する順番は、上（観察者側）からパネル１、パネル２、パネル３、光吸収層の順とした。この順序が異なった場合でもカラー表示は可能であるが、上に積層したパネルによる散乱の影響を小さくするために、上に短波長の光を選択反射するパネルとし、下（光吸収層側）ほど長波長の光を選択反射するパネルを置いた方が、コントラスト比の面で良好である。
【００４４】
この重ね合わせたパネルの最前面に、図３に示すように、実施例１と同じ偏光板と１／４λフィルムからなる円偏光板１２を貼り付けた。偏光板の透過軸は、１／４λフィルムの延伸軸に対して、実施例１と同じく、時計回りに４５度回転した方向（β−α＝４５゜）とした。
【００４５】
各々のパネルの駆動条件も実施例１と同様にした。
【００４６】
このように作成したパネルに対し、キセノンランプ光源の白色光を用いて反射率およびコントラスト比を測定した。白表示時（パネル１〜３ともプレーナ状態）の反射率は約２８％、コントラスト比（パネル１〜３ともプレーナ状態の時と、パネル１〜３ともフォーカルコニック状態の時の反射率比）は１３と良好であった。
【００４７】
実施例４
実施例３と同様に３種類のコレステリック液晶パネルを作成し、図４に示すように各々のパネルを積層した。
【００４８】
本実施例においては円偏光板１２は光吸収層に近い、赤（パネル３）の前（すなわち、パネル２とパネル３の間）に置いた（図４）。なお、使用した円偏光板は、実施例３と同じく、偏光板と１／４λフィルムからなり、偏光板の透過軸は、１／４λフィルムの延伸軸に対して時計回りに４５度回転した方向（β−α＝４５゜）とした。
【００４９】
本発明の手法によると、反射率をほとんど下げることなく、コントラスト比を約２倍にすることができる。しかし３枚のパネルを重ね合わせた最前面に円偏光板を設置すると、１枚のパネルだけを用い、その表面に円偏光板を用いた場合に比べ、コントラスト比を高める効果はそのままであるが、反射率はやや低下する。そこで、円偏光板を最前面ではなく、表面から２枚目と３枚目の間に用いることにより、コントラスト比を高める効果は最背面の１枚のパネルにしか影響しないが、反射率がほとんど低下しない。
【００５０】
本構造の反射型カラー液晶表示装置において、実施例３と同様反射率およびコントラスト比の測定を行ない、反射率３２％、コントラスト比約１０の良好な特性を得ることができた。
【００５１】
本実施例では、２枚目と３枚目の間に円偏光板を置いた例を示したが、１枚目と２枚目の間に円偏光板を置いた場合でも、同様に、高反射率、高コントラスト比の表示を得ることができる。
【００５２】
【発明の効果】
本発明の反射型コレステリック液晶表示装置によれば、液晶表示パネルの前面に円偏光板を設けることによって、当該円偏光板が、白表示のときは反射光を実質的にそのまま透過させ、黒表示のときは一方向の偏光光だけを透過させるので、白表示のときの反射率をほとんど低下させることなく、黒表示のときの反射率が低下する結果、コントラスト比をほぼ２倍にすることができ、非常に良好な表示品位の反射型コレステリック液晶表示装置を得ることができる。
【００５３】
また、複数枚の液晶表示パネルの積層構造によりカラー化した反射型液晶表示装置において、円偏光板を最前面またはいずれかのパネルのあいだに設けることによって、当該円偏光板が、白表示のときは反射光を実質的にそのまま透過させ、黒表示のときは一方向の偏光光だけを透過させるので、白表示のときの反射率をほとんど低下させることなく、黒表示のときの反射率が低下する結果、コントラスト比をほぼ２倍にすることができ、非常に良好な表示品位のカラー反射型コレステリック液晶表示装置を得ることができる。
【図面の簡単な説明】
【図１】本発明のコレステリック液晶を用いた反射型液晶表示装置の概略を示す断面図である。
【図２】偏光板の透過軸および位相差板の延伸軸の方向を説明する斜視図である。
【図３】本発明の複数のパネルを備える液晶表示装置の一例を示す概略図である。
【図４】本発明の複数のパネルを備える液晶表示装置の他の例を示す概略図である。
【図５】従来のコレステリック液晶を用いた反射型液晶表示装置の概略を示す断面図である。
【符号の説明】
１ａ，１ｂ  ガラス基板、２ａ，２ｂ  透明電極、３  コレステリック液晶、４  光吸収層、５  外部からの入射光、６  白表示時の反射光、７  黒表示時の反射光、８  白表示時の透過光、９  黒表示時の透過光、１０  偏光板、１１  位相差板、１２  円偏光板、１３  パネル１、１４  パネル２、１５  パネル３。
【図１】
2004333999.tif 000003
【図２】
2004333999.tif 000004
【図３】
2004333999.tif 000005
【図４】
2004333999.tif 000006
【図５】
2004333999.tif 000007